(57)【要約】【課題】操作内容ごとに操作権限を有する者による操作の利便性を向上させつつ操作権限を有しない者による操作を確実に禁止することが可能な分析装置の制御システム、制御方法および制御プログラムならびに分析システムを提供する。【解決手段】ログイン認証部１８はログイン認証に基づいて制御システム１をログイン状態にする。音声入力部２０は使用者の音声を入力し、音声認識部１２は制御システム１がログイン状態にあるときに音声から音声認識機能により操作コマンドおよび声紋を検出する。声紋判定部１５は検出された声紋がログインユーザの声紋と一致するか否かを判定し、操作権限判定部１３はログインユーザが操作コマンドによる操作権限を有するか否かを判定する。操作コマンド供給部１６は検出された声紋がログインユーザの声紋と一致しかつログインユーザが操作コマンドによる操作権限を有する場合に操作コマンドを分析装置２に与える。【選択図】図１
2018109879.tif 000002
【特許請求の範囲】
【請求項１】
分析装置の制御システムであって、
ログイン認証に基づいて前記制御システムをログイン状態にするログイン認証部と、
前記分析装置の使用者の音声を入力する音声入力部と、
前記制御システムがログイン状態にあるときに、前記音声入力部により入力された音声から音声認識機能により操作コマンドおよび声紋を検出する音声認識部と、
前記検出された声紋が前記制御システムにログインした者の声紋と一致するか否かを判定する声紋判定部と、
前記ログインした者が前記検出された操作コマンドによる操作権限を有するか否かを判定する操作権限判定部と、
前記検出された声紋が前記ログインした者の声紋と一致するとともに前記ログインした者が前記検出された操作コマンドによる操作権限を有する場合に、前記検出された操作コマンドを前記分析装置に与える操作コマンド供給部とを備える、分析装置の制御システム。
【請求項２】
前記分析装置に与えられた操作コマンドまたは操作内容を示す情報、前記操作コマンドによる操作を指示した者を示す情報、および操作の時刻を示す情報を操作ログとして記録する操作ログ記録部をさらに備える、請求項１記載の分析装置の制御システム。
【請求項３】
前記分析装置の使用権限を有する使用権限者の声紋を示す声紋情報、および各使用権限者について各操作コマンドによる操作権限の有無を示す操作権限情報を記憶する記憶部をさらに備え、
前記声紋判定部は、前記記憶部に記憶された声紋情報に基づいて、前記検出された声紋が前記ログインした者の声紋と一致するか否かを判定し、
前記操作権限判定部は、前記記憶部に記憶された操作権限情報に基づいて、前記ログインした者が前記検出された操作コマンドによる操作権限を有するか否かを判定する、請求項１または２記載の分析装置の制御システム。
【請求項４】
分析装置と、
請求項１〜３のいずれか一項に記載の制御システムとを備え、
前記分析装置は、前記制御システムにより与えられる操作コマンドを実行する、制御システム。
【請求項５】
分析装置の制御方法であって、
ログイン認証に基づいて前記分析装置の制御システムをログイン状態にするステップと、
前記分析装置の使用者の音声を入力するステップと、
前記制御システムがログイン状態にあるときに、前記音声入力部により入力された音声から音声認識機能により操作コマンドおよび声紋を検出するステップと、
前記検出された声紋が前記制御システムにログインした者の声紋と一致するか否かを判定するステップと、
前記ログインした者が前記検出された操作コマンドによる操作権限を有するか否かを判定するステップと、
前記検出された声紋が前記ログインした者の声紋と一致するとともに前記ログインした者が前記検出された操作コマンドによる操作権限を有する場合に、前記検出された操作コマンドを前記分析装置に与えるステップとを含む、分析装置の制御方法。
【請求項６】
分析装置の制御プログラムであって、
ログイン認証に基づいて前記制御プログラムをログイン状態にする処理と、
前記分析装置の使用者の音声を入力する処理と、
前記制御プログラムがログイン状態にあるときに、前記入力された音声から音声認識機能により操作コマンドおよび声紋を検出する処理と、
前記検出された声紋が前記制御プログラムにログインした者の声紋と一致するか否かを判定する処理と、
前記ログインした者が前記検出された操作コマンドによる操作権限を有するか否かを判定する処理と、
前記検出された声紋が前記ログインした者の声紋と一致するとともに前記ログインした者が前記検出された操作コマンドによる操作権限を有する場合に、前記検出された操作コマンドを前記分析装置に与える処理とを、
コンピュータに実行させるための分析装置の制御プログラム。
【発明の詳細な説明】
【技術分野】
【０００１】
本発明は、分析装置の制御システム、分析装置の制御方法、分析装置の制御プログラム、および分析装置を含む分析システムに関する。
【背景技術】
【０００２】
近年、製造業および検査業においては、分析装置により得られた電子データのトレーサビリティ（追跡可能性）を確保するとともに、電子データ等の改ざんを確実に防止することが要求されている。そのため、各分析装置の使用権限を特定の者のみに与えるとともに、各分析装置の操作内容ごとに操作権限を有する者を限定することが行われている（例えば、特許文献１参照）。
【０００３】
特許文献１に記載された分析装置では、分析のために実行される複数の処理のそれぞれに対応する権限項目が記憶される。また、権限項目と権限名称との対応関係が記憶され、ユーザ情報と権限名称との対応関係が記憶される。入力装置から入力されたユーザ情報に基づいて権限名称が認証され、認証された権限名称に基づく権限項目が実行される。
【先行技術文献】
【特許文献】
【０００４】
【特許文献１】特開２００５−３２７０８０号公報
【発明の概要】
【発明が解決しようとする課題】
【０００５】
特許文献１に記載された分析装置では、各使用者は、予め与えられた権限項目のみを実行することができる。また、正規の使用者が入力装置により入力処理を行った後、一定のロックアウト時間内に入力処理が行われなかった場合には、入力処理が不可能になる。それにより、正規の使用者が測定場所を離れたときに、第三者が測定場所に侵入して測定条件の変更または測定データの改ざんを行うことが防止される。
【０００６】
しかしながら、正規の使用者がロックアウト時間内に入力処理を行わなかった場合、測定を続けるためには、入力装置からユーザ情報を入力することにより再認証を行う必要がある。この場合、分析装置の使用者は、秤量、試薬の添加等の測定対象物の調製を行うために保護手袋をはめていることが多い。保護手袋をはめた指でタッチパネル、キーボード等の入力装置に触れると、入力装置が反応しないことがある。また、保護手袋に付着した薬品で入力装置を傷めることがある。そのため、使用者は、保護手袋を外して再認証を行う必要がある。このように、分析装置における再認証には煩雑な作業が伴う。
【０００７】
本発明の目的は、操作内容ごとに操作権限を有する者による操作の利便性を向上させつつ操作権限を有しない者による操作を確実に禁止することが可能な分析装置の制御システム、制御方法および制御プログラムならびに分析システムを提供することである。
【課題を解決するための手段】
【０００８】
（１）本発明に係る分析装置の制御システムは、ログイン認証に基づいて制御システムをログイン状態にするログイン認証部と、分析装置の使用者の音声を入力する音声入力部と、制御システムがログイン状態にあるときに、音声入力部により入力された音声から音声認識機能により操作コマンドおよび声紋を検出する音声認識部と、検出された声紋が制御システムにログインした者の声紋と一致するか否かを判定する声紋判定部と、ログインした者が検出された操作コマンドによる操作権限を有するか否かを判定する操作権限判定部と、検出された声紋がログインした者の声紋と一致するとともにログインした者が検出された操作コマンドによる操作権限を有する場合に、検出された操作コマンドを分析装置に与える操作コマンド供給部とを備える。
【０００９】
その制御システムにおいては、ログイン状態で使用者により音声が入力されると、その音声から操作コマンドおよび声紋が検出される。検出された声紋が制御システムにログインした者の声紋と一致するか否かが判定されるとともに、ログインした者が検出された操作コマンドによる操作権限を有するか否かが判定される。検出された声紋がログインした者の声紋と一致するとともにログインした者が検出された操作コマンドによる操作権限を有する場合には、検出された操作コマンドが分析装置に与えられる。それにより、ログインした者以外の者が音声により分析装置を操作することが不可能となる。また、ログインした者であっても、操作権限を有しない操作を行うことが不可能となる。この場合、使用者は、保護手袋を外す作業等を行うことなく、音声により分析装置の操作を指示することができる。したがって、操作内容ごとに操作権限を有する者による操作の利便性を向上させつつ操作権限を有しない者による操作を確実に禁止することが可能となる。
【００１０】
（２）制御システムは、分析装置に与えられた操作コマンドまたは操作内容を示す情報、操作コマンドによる操作を指示した者を示す情報、および操作の時刻を示す情報を操作ログとして記録する操作ログ記録部をさらに備えてもよい。
【００１１】
この場合、操作ログに基づいて分析装置の操作内容、操作を指示した者および操作時刻を認識することが可能となる。それにより、分析結果のトレーサビリティが確保される。
【００１２】
（３）制御システムは、分析装置の使用権限を有する使用権限者の声紋を示す声紋情報、および各使用権限者について各操作コマンドによる操作権限の有無を示す操作権限情報を記憶する記憶部をさらに備え、声紋判定部は、記憶部に記憶された声紋情報に基づいて、検出された声紋がログインした者の声紋と一致するか否かを判定し、操作権限判定部は、記憶部に記憶された操作権限情報に基づいて、ログインした者が検出された操作コマンドによる操作権限を有するか否かを判定してもよい。
【００１３】
この場合、音声入力部により入力された音声の声紋がログインした者の声紋と一致するか否かおよびログインした者が音声により指示した操作内容について操作権限を有するか否かを操作権限情報に基づいて容易に判定することができる。また、記憶部に記憶される操作権限情報を変更することにより操作内容ごとに操作権限を有する者を変更することができる。
【００１４】
（４）本発明に係る分析システムは、分析装置と、上記の制御システムとを備え、分析装置は、制御システムにより与えられる操作コマンドを実行する。
【００１５】
その分析システムは、上記の制御システムを備えるので、操作内容ごとに操作権限を有する者による操作の利便性を向上させつつ操作権限を有しない者による操作を確実に禁止することが可能となる。
【００１６】
（５）本発明に係る分析装置の制御方法は、ログイン認証に基づいて分析装置の制御システムをログイン状態にするステップと、分析装置の使用者の音声を入力するステップと、制御システムがログイン状態にあるときに、音声入力部により入力された音声から音声認識機能により操作コマンドおよび声紋を検出するステップと、検出された声紋が制御システムにログインした者の声紋と一致するか否かを判定するステップと、ログインした者が検出された操作コマンドによる操作権限を有するか否かを判定するステップと、検出された声紋がログインした者の声紋と一致するとともにログインした者が検出された操作コマンドによる操作権限を有する場合に、検出された操作コマンドを分析装置に与えるステップとを含む。
【００１７】
その制御方法によれば、ログインした者以外の者が音声により分析装置を操作することが不可能となる。また、ログインした者であっても、操作権限を有しない操作を行うことが不可能となる。この場合、使用者は、保護手袋を外す作業等を行うことなく、音声により分析装置の操作を指示することができる。したがって、操作内容ごとに操作権限を有する者による操作の利便性を向上させつつ操作権限を有しない者による操作を確実に禁止することが可能となる。
【００１８】
（６）本発明に係る分析装置の制御プログラムは、ログイン認証に基づいて制御プログラムをログイン状態にする処理と、分析装置の使用者の音声を入力する処理と、制御プログラムがログイン状態にあるときに、入力された音声から音声認識機能により操作コマンドおよび声紋を検出する処理と、検出された声紋が制御プログラムにログインした者の声紋と一致するか否かを判定する処理と、ログインした者が検出された操作コマンドによる操作権限を有するか否かを判定する処理と、検出された声紋がログインした者の声紋と一致するとともにログインした者が検出された操作コマンドによる操作権限を有する場合に、検出された操作コマンドを分析装置に与える処理とを、コンピュータに実行させるためのものである。
【００１９】
その制御プログラムによれば、ログインした者以外の者が音声により分析装置を操作することが不可能となる。また、ログインした者であっても、操作権限を有しない操作を行うことが不可能となる。この場合、使用者は、保護手袋を外す作業等を行うことなく、音声により分析装置の操作を指示することができる。したがって、操作内容ごとに操作権限を有する者による操作の利便性を向上させつつ操作権限を有しない者による操作を確実に禁止することが可能となる。
【発明の効果】
【００２０】
本発明によれば、操作内容ごとに操作権限を有する者による操作の利便性を向上させつつ操作権限を有しない者による操作を確実に禁止することが可能となる
【図面の簡単な説明】
【００２１】
【図１】本発明の一実施の形態に係る分析システムの構成を示すブロック図である。
【図２】ユーザ−権限対応テーブルの一例を示す図である。
【図３】制御システムの制御プログラムのアルゴリズムを示すフローチャートである。
【図４】制御システムの制御プログラムのアルゴリズムを示すフローチャートである。
【図５】操作ログの一例を示す図である。
【発明を実施するための形態】
【００２２】
以下、本発明の実施の形態に係る分析装置の制御システム、制御プログラムおよび制御方法ならびに分析装置を含む分析システムについて図面を参照しながら詳細に説明する。
【００２３】
（１）分析システムの構成
図１は本発明の一実施の形態に係る分析システムの構成を示すブロック図である。図１の分析システム１００は、制御システム１および分析装置２を含む。制御システム１は、情報入力部１０、音声入力部２０、表示部３０、データ処理装置４０、記憶装置５０および出力装置６０を含む。
【００２４】
情報入力部１０は、キーボードおよびポインティングデバイス等を含み、ログイン情報およびその他の情報等を入力するために用いられる。音声入力部２０は、マイク等を含み、発話者の音声を音声信号として入力するために用いられる。表示部３０は、液晶ディスプレイ等を含み、各種情報および画像を表示する。
【００２５】
データ処理装置４０は、使用権限判定部１１、音声認識部１２、操作権限判定部１３、テーブル取得部１４、声紋判定部１５、操作コマンド供給部１６および操作ログ記録部１７を含む。このデータ処理装置４０は、ＣＰＵ（中央演算処理装置）、ＲＡＭ（ランダムアクセスメモリ）およびＲＯＭ（リードオンリメモリ）により構成され、例えばパーソナルコンピュータである。ＣＰＵがＲＯＭまたは記憶装置５０等の記憶媒体（記録媒体）に記憶されたコンピュータプログラムである制御プログラムを実行することにより、上記の構成要素（１１〜１７）の機能が実現される。データ処理装置４０の一部またはすべての構成要素が電子回路等のハードウエアにより実現されてもよい。情報入力部１０および使用権限判定部１１によりログイン認証部１８が構成される。
【００２６】
使用権限判定部１１はログイン認証を行う。具体的には、使用権限判定部１１は、後述するユーザ−権限対応テーブルＴＢに基づいて、情報入力部１０により入力されたログイン情報と分析装置２の使用権限を有する使用権限者のログイン情報とが一致するか否かを判定し、入力されたログイン情報と使用権限者のログイン情報とが一致した場合に制御システム１の制御プログラムをログイン状態にする。また、使用権限判定部１１は、情報入力部１０によりログアウトの指示が入力された場合に、制御システム１の制御プログラムをログアウト状態にする。以下、ログイン情報の入力により制御プログラムをログイン状態にした者をログインユーザと呼ぶ。
【００２７】
テーブル取得部１４は、記憶装置５０に記憶される後述するユーザ−権限対応テーブルＴＢを取得する。音声認識部１２は、音声入力部２０により入力された音声信号から音声認識機能により操作コマンドおよび発話者の声紋を検出する。声紋判定部１５は、ユーザ−権限対応テーブルＴＢに基づいて、ログインユーザの声紋と音声認識部１２により検出された声紋とが一致するか否かを判定する。操作権限判定部１３は、ユーザ−権限対応テーブルＴＢに基づいて、ログインユーザが音声認識部１２により検出された操作コマンドによる操作権限を有するか否かを判定する。
【００２８】
操作コマンド供給部１６は、音声認識部１２により検出された声紋がログインユーザの声紋と一致しかつログインユーザが音声認識部１２により検出された操作コマンドによる操作権限を有する場合に、検出された操作コマンドを分析装置２に与える。操作ログ記録部１７は、操作コマンドによる操作を音声により指示した者（ログインユーザ）を特定する識別情報、分析装置２に与えられた操作コマンドによる操作内容を示す操作情報、および操作の時刻を示す時刻情報を操作ログＬＧとして記憶装置５０に記録する。本実施の形態では、操作情報は、操作コマンドおよびその操作コマンドにより指示される操作内容を含む。
【００２９】
記憶装置５０は、ハードディスク、光学ディスク、磁気ディスク、半導体メモリまたはメモリカード等の記憶媒体を含み、ユーザ−権限対応テーブルＴＢおよび操作ログＬＧを記憶する。出力装置６０は、印字装置または表示装置等を含み、操作ログＬＧ等のデータを紙媒体に印字し、または画面に表示する。分析装置２は、例えば液体クロマトグラフまたはガスクロマトグラフである。
【００３０】
（２）ユーザ−権限対応テーブルＴＢ
図２はユーザ−権限対応テーブルＴＢの一例を示す図である。図２のユーザ−権限対応テーブルＴＢは、ログイン情報、声紋情報および操作コマンドと使用権限者との対応関係を含む。このユーザ−権限対応テーブルＴＢは、データベースとして記憶装置５０に記憶される。
【００３１】
使用権限者は、分析装置２の使用権限を有する者である。本例では、装置管理者であるユーザＡ、分析責任者であるユーザＢ、およびオペレータであるユーザＣが分析装置２の使用権限者である。ログイン情報は、例えばログインＩＤ（識別子）およびログインパスワードを含む。本例では、ユーザＡにログイン情報ＬＡが割り当てられ、ユーザＢにログイン情報ＬＢが割り当てられ、ユーザＣにログイン情報ＬＣが割り当てられている。
【００３２】
声紋情報は、各使用権限者の声紋を特定するための情報である。ユーザＡの声紋情報はＶＡであり、ユーザＢの声紋情報はＶＢであり、ユーザＣの声紋情報はＶＣである。各使用権限者の声紋のパターンが記憶装置５０に記憶されている。声紋情報を用いて記憶装置５０に記憶された声紋のパターンを取得することができる。
【００３３】
操作コマンドは、分析装置２の操作を指示するためのコマンドである。本例では、操作コマンドとして、分析装置２の起動を指示する操作コマンドＣ１、分析装置２の停止を指示する操作コマンドＣ２、分析装置２による分析の実行を指示する操作コマンドＣ３、分析装置２のパラメータの変更を指示する操作コマンドＣ４、分析装置２による分析の一時停止を指示する操作コマンドＣ５および分析装置２による分析の中止を指示する操作コマンドＣ６が用意されている。
【００３４】
詳細には、操作コマンドＣ１による操作権限は、分析装置２を停止（スリープ）状態から運転開始させるための権限である。操作コマンドＣ２による操作権限は、運転中の分析装置２を停止状態にするための権限である。分析装置２の故障防止、安定性および性能を確保するためには、分析装置２を適切な条件で起動および停止する必要があるため、操作コマンドＣ１，Ｃ２による操作権限は装置管理者のみに付与される。
【００３５】
操作コマンドＣ３による操作権限は、分析を実行する権限であり、装置管理者、分析責任者およびオペレータに付与される。操作コマンドＣ４による操作権限は、分析中または分析準備中に一時的に分析装置２のパラメータ（例えば、送液ポンプの流量）を変更する権限である。検査工程を厳密に管理している環境においては、操作コマンドＣ４による操作権限が無効にされる場合がある。厳密な管理外での分析を行うオペレータには、利便性を考慮して操作コマンドＣ４による操作権限が適宜付与される。
【００３６】
操作コマンドＣ５による操作権限は、分析中の分析を一時停止する権限であり、操作コマンドＣ６による操作権限は、分析中の分析を中止する権限である。操作コマンドＣ５，Ｃ６による操作権限は、計画した分析を理由なく中止することを抑制する目的で装置管理者および分析責任者等の特定の責任者のみに与えられる。
【００３７】
ユーザ−権限対応テーブルＴＢは、各使用権限者について各操作コマンドによる操作権限の有無を示す操作権限情報を含む。図２では、操作権限を有する場合が“〇”で示され、操作権限を有しない場合が“×”で示される。ユーザＡは、操作コマンドＣ１〜Ｃ６による操作のすべてについて操作権限を有する。ユーザＢは、操作コマンドＣ３〜Ｃ６による操作について操作権限を有する。ユーザＣは、操作コマンドＣ３による操作のみについて操作権限を有する。
【００３８】
（３）制御プログラム
図３および図４は制御システム１の制御プログラムのアルゴリズムを示すフローチャートである。まず、図１の使用権限判定部１１は、情報入力部１０によりログイン情報が入力されたか否かを判定する（ステップＳ１）。ログイン情報が入力された場合には、テーブル取得部１４が記憶装置５０に記憶されるユーザ−権限対応テーブルＴＢを取得する（ステップＳ２）。使用権限判定部１１は、ユーザ−権限対応テーブルＴＢに基づいて、入力されたログイン情報と使用権限者のログイン情報とが一致するか否かを判定する（ステップＳ３）。
【００３９】
入力されたログイン情報と使用権限者のログイン情報とが一致しない場合には、使用権限判定部１１は、ログイン情報を入力した者に使用権限がないことを通知する（ステップＳ１５）。具体的には、使用権限判定部１１は、ログイン情報を入力した者に使用権限がないことを表示部３０に表示させる。図２の例では、ログイン情報ＬＡ，ＬＢ，ＬＣ以外のログイン情報が入力された場合には、使用権限がないことが通知される。その後、制御プログラムの処理はステップＳ１に戻る。
【００４０】
ステップＳ３で入力されたログイン情報と使用権限者のログイン情報とが一致する場合には、使用権限判定部１１は、制御システム１の制御プログラムをログイン状態に設定する（ステップＳ４）。例えば、ログイン情報ＬＡ，ＬＢ，ＬＣのいずれかが入力された場合には、制御プログラムがログイン状態に設定される。さらに、使用権限判定部１１は、ユーザ−権限対応テーブルＴＢに基づいてログインユーザを特定する（ステップＳ５）。例えば、ログイン情報ＬＡが入力された場合にはユーザＡがログインユーザとして特定される。
【００４１】
次に、音声認識部１２は、音声入力部２０により音声が音声信号として入力されたか否かを判定する（ステップＳ６）。音声信号が入力された場合には、音声認識部１２は、入力された音声信号から音声認識機能により操作コマンドおよび声紋を検出する（ステップＳ７）。例えば、「分析装置の起動」という音声に基づく音声信号が入力された場合、その音声信号から操作コマンドＣ１が検出されるとともに声紋が検出される。
【００４２】
声紋判定部１５は、ユーザ−権限対応テーブルＴＢに基づいて、音声認識部１２により検出された声紋（発話者の声紋）とログインユーザの声紋とを照合し（ステップＳ８）、発話者の声紋とログインユーザの声紋とが一致するか否かを判定する（ステップＳ９）。
【００４３】
発話者の声紋とログインユーザの声紋とが一致しない場合には、発話者がログインユーザでないことを通知する（ステップＳ１６）。具体的には、声紋判定部１５は、発話者がログインユーザでないことを表示部３０に表示させる。例えば、ログインユーザがユーザＡであり、ユーザＡ以外の者が発話した場合に、発話者がログインユーザでないことが通知される。その後、制御プログラムの処理はステップＳ６に戻る。
【００４４】
ステップＳ９で発話者の声紋とログインユーザの声紋とが一致する場合には、操作権限判定部１３は、ユーザ−権限対応テーブルＴＢに基づいて、ログインユーザが音声認識部１２により検出された操作コマンドによる操作権限を有するか否かを判定する（ステップＳ１０）。例えば、ログインユーザがユーザＡでありかつユーザＡが操作コマンドＣ１を意味する発話を行った場合には、ユーザＡについて操作コマンドＣ１による操作権限の有無が判定される。また、ログインユーザがユーザＢでありかつユーザＢが操作コマンドＣ１を意味する発話を行った場合には、ユーザＢについて操作コマンドＣ１による操作権限の有無が判定される。
【００４５】
ログインユーザが音声認識部１２により検出された操作コマンドによる操作権限を有しない場合には、操作権限判定部１３は、ログインユーザに操作権限がないことを通知する（ステップＳ１７）。具体的には、操作権限判定部１３は、ログインユーザに操作権限がないことを表示部３０に表示させる。例えば、ログインユーザがユーザＢでありかつユーザＢが操作コマンドＣ１を意味する発話を行った場合には、ユーザＢには操作権限がないことが通知される。その後、制御プログラムの処理はステップＳ６に戻る。
【００４６】
ステップＳ１０でログインユーザが音声認識部１２により検出された操作コマンドによる操作権限を有する場合には、操作コマンド供給部１６は、その操作コマンドを分析装置２に与える（ステップＳ１１）。それにより、分析装置２において操作コマンドに基づく操作が実行される。例えば、ログインユーザがユーザＡでありかつユーザＡが操作コマンドＣ１を意味する発話を行った場合には、操作コマンドＣ１が分析装置２に与えられる。分析装置２は、操作コマンドＣ１に基づいて起動される。
【００４７】
このとき、操作ログ記録部１７は、操作コマンドによる操作を指示した者（ログインユーザ）の識別情報、分析装置２に与えられた操作コマンドによる操作内容を示す操作情報、および操作の時刻を示す時刻情報を操作ログＬＧに記録する（ステップＳ１２）。例えば、操作ログＬＧに操作コマンドＣ１による操作を指示した者としてユーザＡの識別情報が記録され、操作コマンドＣ１による操作内容として操作コマンドＣ１とともに「分析装置の起動」が記録され、操作時刻として「○年〇月〇日○時〇分」が記録される。
【００４８】
その後、使用権限判定部１１は、情報入力部１０によりログアウトの指示が入力されたか否かを判定する（ステップＳ１３）。ログアウトの指示が入力された場合には、使用権限判定部１１は、制御システム１の制御プログラムをログアウト状態にする（ステップＳ１４）。その後、制御プログラムの処理は、ステップＳ１に戻る。ステップＳ１３でログアウトの指示が入力されない場合には、制御プログラムの処理はステップＳ６に戻る。
【００４９】
図５は操作ログの一例を示す図である。図５において、操作ログＬＧは、時刻情報、ログインユーザ識別情報、操作コマンドおよび操作内容を含む。図５に例によると、装置管理者であるユーザＡが操作コマンドＣ１により分析装置の起動を指示し、分析責任者であるユーザＢがパラメータの変更を指示し、オペレータであるユーザＣが分析の実行を指示したことがわかる。その後、ユーザＢが分析の一時停止を指示し、ユーザＢがパラメータの変更を指示し、ユーザＣが分析の実行を指示し、ユーザＡが分析装置の停止を指示したことがわかる。このようにして、操作ログＬＧにより分析結果のトレーサビリティが確保される。
【００５０】
（４）実施の形態の効果
本実施の形態に係る制御システム１を備えた分析システム１００によれば、ログイン認証後に、発話者の音声に基づく音声信号から操作コマンドおよび声紋が検出される。発話者の声紋がログインユーザの声紋と一致しかつログインユーザが操作コマンドによる操作権限を有する場合に、操作コマンドが分析装置２に与えられる。そのため、ログインユーザ以外の者が音声により分析装置２を操作することが不可能となる。また、ログインユーザであっても、操作権限を有しない操作を行うことが不可能となる。この場合、使用者は、ログイン認証後に、保護手袋を外す作業等を行うことなく、音声により分析装置２の操作を指示することができる。したがって、操作内容ごとに操作権限を有する者による操作の利便性が向上するとともに、操作権限を有しない者による操作が確実に禁止される。
【００５１】
また、操作ログＬＧが自動的に記録されるので、分析装置２の操作内容、操作者および操作時刻を容易に認識することが可能となる。それにより、分析のトレーサビリティが確保される。
【００５２】
（５）他の実施の形態
上記実施の形態に係る分析システム１００における分析装置２は、液体クロマトグラフまたはガスクロマトグラフに限らず、Ｘ線を用いた分析装置、電子線を用いた分析装置、電磁波を用いた分析装置、質量分析装置、熱分析法を用いた分析装置、電気化学法を用いた分析装置、核磁気共鳴を用いた分析装置、電子顕微鏡等の他の分析装置であってもよい。
【００５３】
また、上記実施の形態では、使用者がログイン情報を入力することによりログイン認証が行われるが、ログイン認証の方法はこれに限定されない。ログイン認証として、声紋認証、指紋認証、顔認証、虹彩認証、音声認証等の生体認証を用いてもよい。
【００５４】
さらに、制御システム１はパーソナルコンピュータに限らず、例えばタッチパネルおよび音声入力機能を有するスマートデバイス等の携帯端末機器に制御プログラムをインストールすることにより構成されてもよい。また、制御システム１は、分析装置２に内蔵されてもよい。
【００５５】
操作ログＬＧの識別情報は、操作を指示した者の氏名であってもよく、操作をした者のログイン情報であってもよい。また、操作ログＬＧの操作情報は、操作コマンドのみを含んでもよく、操作コマンドによる操作内容を示す情報のみを含んでもよい。
【００５６】
制御システム１の制御プログラムは、例えば、インターネットに接続されるサーバからダウンロードされて記憶装置５０に記憶されてもよい。
【符号の説明】
【００５７】
１  制御システム
２  分析装置
１０  情報入力部
１１  使用権限判定部
１２  音声認識部
１３  操作権限判定部
１４  テーブル取得部
１５  声紋判定部
１６  操作コマンド供給部
１７  操作ログ記録部
１８  ログイン認証部
２０  音声入力部
３０  表示部
４０  データ処理装置
５０  記憶装置
６０  出力装置
１００  分析システム
【図１】
2018109879.tif 000003
【図２】
2018109879.tif 000004
【図３】
2018109879.tif 000005
【図４】
2018109879.tif 000006
【図５】
2018109879.tif 000007